(57)【特許請求の範囲】
【請求項１】
略箱状のケースと、このケースに装着された操作体の操作に応じて電気的信号を出力する出力部と、この出力部に接続され外方へ延出したリード線と、上記ケースから突出し先端側に固定部を設けた略柱状の保持体と、一端に略矩形状の締結部を設けると共に上記締結部からバンド部が延出し、このバンド部と上記締結部によって上記リード線と上記固定部を巻回して上記リード線を上記固定部に固定する結束バンドからなり、上記保持体の略柱状部の略中央に上記バンド部を挿通させる通孔を設け、上記固定部の上面に断面が略Ｖ字形で略凹状の保持部を設けると共に、上記保持部の一側方に上記バンド部の幅よりやや広い間隔で対向する突出部を設け、上記保持部の上記略Ｖ字形の一方の面が上記突出部上面で形成され、上記保持部に上記結束バンドの上記締結部を載置すると共に、各上記突出部間に上記バンド部を配置した操作型電子部品。
【発明の詳細な説明】
【技術分野】
【０００１】
本発明は、主に自動車の電子機器の制御等に用いられる操作型電子部品に関するものである。
【背景技術】
【０００２】
近年、自動車内のステアリングホイール近傍に操作型電子部品を装着し、これを操作することによって車室内の様々な電子機器等を制御することが広く行われており、一般的にこれらの電子部品においては裏面から車両本体に電気的接続される複数のリード線が延出し、これらを結束バンドで電子部品の所定の位置に保持固定された状態で、電子部品がステアリングホイール近傍の限られた収納スペースに装着されることが多い。
【０００３】
このような従来の操作型電子部品について、図５〜図７を用いて説明する。
【０００４】
図５は従来の操作型電子部品の裏側から見た斜視図、図６は同表側から見た平面図であり、同図において、１は略箱状で裏側開口の絶縁樹脂製の表ケースで、この表側には揺動や上下動可能な複数の操作体２が装着されている。
【０００５】
そして、３は表ケース１の裏側開口を覆う同じく絶縁樹脂製の裏ケースで、これら表裏ケース１、３内には操作体２の操作に応じて電気的接離するプッシュスイッチ（図示せず）などのスイッチ接点や各種電子部品が実装された配線基板（図示せず）が収納されている。
【０００６】
また、３Ａは配線基板の一端に設けられ裏ケース３の裏面に窪んで形成されたコネクタ部で、このようなコネクタ部３Ａやスイッチ接点、及び配線基板などによって出力部が構成されている。
【０００７】
そして、４は複数のリード線で、一端がコネクタ５に固着されると共に、他端が絶縁チューブ６を挿通して外方へ延出している。
【０００８】
また、コネクタ５が裏ケース３のコネクタ部３Ａに装着され、リード線４の他端が車両の電子回路に接続されて、操作体２の操作に応じてオーディオなどの電子機器が制御されるようになっている。
【０００９】
さらに、７は裏ケース３の裏面から突出した略柱状の保持体で、略中央に通孔７Ｂが形成されると共に、その上方に断面が略楕円形状の固定部７Ａが形成されている。
【００１０】
また、８はポリアミドなどの絶縁樹脂製の結束バンドで、一端に略矩形状で内側に係合孔８Ｃが形成された締結部８Ａが設けられると共に、この締結部８Ａから帯状で表面に断面が略鋸歯状の係止部８Ｄが形成されたバンド部８Ｂが延出している。
【００１１】
そして、絶縁チューブ６によって覆われたリード線４が、保持体７の固定部７Ａと併せてバンド部８Ｂによって巻回され締付けられると共に、締結部８Ａの係合孔８Ｃを挿通したバンド部８Ｂの係止部８Ｄが係合孔８Ｃに係止されることにより、リード線４が固定部７Ａに固定されて操作型電子部品が構成されている。
【００１２】
なお、結束バンド８を用いてリード線４を保持体７に固定する際には、図７（ａ）の部分断面図に示すように、まず、締結部８Ａを固定部７Ａの上方に配置して、バンド部８Ｂを固定部７Ａ右方から巻回して通孔７Ｂに挿通させる。
【００１３】
そして、固定部７Ａの左側方に寄せたリード線４と固定部７Ａをバンド部８Ｂで併せて巻回させた後、締結部８Ａの係合孔８Ｃに通すと共に締付けて係止した状態で、バンド部８Ｂ先端の不要部分を切断する。
【００１４】
なお、この時、固定部７Ａは略楕円形状であるため、上記のようなリード線４の固定作業の際や、リード線４の固定後に、締結部８Ａが固定部７Ａの周りを回転移動して、図７（ｂ）、（ｃ）に示すように、リード線４の左側や固定部７Ａの右側にずれるなど、締結部８Ａやバンド部８Ｂの先端部の位置が安定しない場合があった。
【００１５】
そして、以上のような構成の操作型電子部品は、例えばハンドルのステアリングホイール近傍のスポーク部に装着されて、ハンドルを握ったまま指で複数の操作体２のいずれかを操作することによって、操作に応じた電気信号が出力部からリード線４を介して車両の電子回路に出力され、車両内の例えばオーディオ機器などの電子機器を制御するように構成されているものであった。
【００１６】
なお、この出願の発明に関連する先行技術文献情報としては、例えば、特許文献１が知られている。
【特許文献１】特開平５−１０２９３７号公報
【発明の開示】
【発明が解決しようとする課題】
【００１７】
しかしながら、上記従来の操作型電子部品においては、結束バンド８により保持体７の固定部７Ａにリード線４を固定した時に、締結部８Ａが固定部７Ａの周りを回動して左方や右方などにずれることがあり、ハンドルのスポーク部などの狭いスペースに装着する際に、締結部８Ａやバンド部８Ｂの先端部分が装着相手側の側壁やリブなどに当たって組込めない場合や、組込むためにずれた締結部８Ａを支障のない位置に手で回して移動させる必要があるなど、作業に手間がかかり時間を要するという課題があった。
【００１８】
本発明は、このような従来の課題を解決するものであり、簡易な構成で、リード線の保持体への固定作業が容易で、リード線の保持固定が確実な操作型電子部品を提供することを目的とする。
【課題を解決するための手段】
【００１９】
上記目的を達成するために本発明は、以下の構成を有するものである。
【００２０】
本発明の請求項１に記載の発明は、略箱状のケースと、このケースに装着された操作体の操作に応じて電気的信号を出力する出力部と、この出力部に接続され外方へ延出したリード線と、上記ケースから突出し先端側に固定部を設けた略柱状の保持体と、一端に略矩形状の締結部を設けると共に上記締結部からバンド部が延出し、このバンド部と上記締結部によって上記リード線と上記固定部を巻回して上記リード線を上記固定部に固定する結束バンドからなり、上記保持体の略柱状部の略中央に上記バンド部を挿通させる通孔を設け、上記固定部の上面に断面が略Ｖ字形で略凹状の保持部を設けると共に、上記保持部の一側方に上記バンド部の幅よりやや広い間隔で対向する突出部を設け、上記保持部の上記略Ｖ字形の一方の面が上記突出部上面で形成され、上記保持部に上記結束バンドの上記締結部を載置すると共に、各上記突出部間に上記バンド部を配置して操作型電子部品を構成したものであり、バンド部でリード線と固定部を巻回してリード線を保持体に固定する際に、締結部が保持部に係止されて巻回方向である回転方向に回動しないように保持されるため、リード線の保持体への固定作業が容易で、固定後も固定位置がずれにくく保持固定が確実な操作型電子部品を得ることができるという作用を有する。
また、バンド部の幅方向への移動が規制されて、結束バンドの巻回方向への回転ずれ防止に加えバンド部の幅方向へのずれも防止されるため、さらに結束バンドによるリード線の固定作業が容易で、リード線の保持固定が確実なものにすることができるという作用を有する。
【発明の効果】
【００２２】
以上のように本発明によれば、簡易な構成で、リード線の固定作業が容易で、リード線の保持固定が確実な操作型電子部品を実現することができるという有利な効果が得られる。
【発明を実施するための最良の形態】
【００２３】
以下、本発明の実施の形態について、図１〜図４を用いて説明する。
【００２４】
なお、背景の技術の項で説明した構成と同一構成の部分には同一符号を付して、詳細な説明を簡略化する。
【００２５】
（実施の形態）
図１は本発明の一実施の形態による操作型電子部品の裏側から見た斜視図、図２は同表側から見た平面図であり、同図において、１は略箱状で裏側開口のＡＢＳ等の絶縁樹脂製の表ケースで、この表側には揺動や上下動可能な複数の操作体２が装着されている。
【００２６】
そして、１３は表ケース１の裏側開口を覆うポリブチレンテレフタレートやポリオキシメチレン等の絶縁樹脂製の裏ケースで、これら表裏ケース１、１３内には操作体２の操作に応じて電気的接離するプッシュスイッチ（図示せず）などのスイッチ接点や各種電子部品が実装された配線基板（図示せず）が収納されている。
【００２７】
また、１３Ａは配線基板の一端に設けられ裏ケース１３の裏面に窪んで形成されたコネクタ部で、このようなコネクタ部１３Ａやスイッチ接点、及び配線基板などによって出力部が構成されている。
【００２８】
そして、４は複数のリード線で、一端がコネクタ５に固着されると共に、他端が絶縁チューブ６を挿通して外方へ延出している。
【００２９】
また、コネクタ５が裏ケース１３のコネクタ部１３Ａに装着され、リード線４の他端が車両の電子回路に接続されて、操作体２の操作に応じてオーディオなどの電子機器が制御されるようになっている。
【００３０】
さらに、図３の要部斜視図に示すように、１７は裏ケース１３から突出して一体に設けられた略柱状の保持体で、略中央に通孔１７Ｂが設けられ、その上方には上面に断面が略Ｖ字形で略凹状の保持部１７Ｃが形成されると共に、保持部１７Ｃの右側方には後述する結束バンドの幅よりやや広い間隔で突出部１７Ｄが形成された固定部１７Ａが設けられている。
【００３１】
また、８はポリアミドなどの絶縁樹脂製の結束バンドで、一端に略矩形状で内側に係合孔８Ｃが形成された締結部８Ａが設けられると共に、この締結部８Ａから帯状で表面に断面が略鋸歯状の係止部８Ｄが形成されたバンド部８Ｂが延出している。
【００３２】
そして、結束バンド８の締結部８Ａ外側の角部が略Ｖ字形の保持部１７Ｃに載置された状態で、絶縁チューブ６で覆われた複数のリード線４が、保持体１７の固定部１７Ａと併せてバンド部８Ｂによって巻回され締付けられると共に、締結部８Ａにバンド部８Ｂが係止され、リード線４が固定部１７Ａに固定されて操作型電子部品が構成されている。
【００３３】
なお、ここで結束バンド８によるリード線４を保持体１７に保持固定する方法について、図４の部分断面図を用いて説明する。
【００３４】
まず、図４（ａ）に示すように保持体１７のみの状態から、図４（ｂ）に示すように、固定部１７Ａ上部の保持部１７Ｃに、結束バンド８の締結部８Ａ外側の所定の角部と保持部１７Ｃの略Ｖ字形の角部とを一致させて締結部８Ａを載置すると共に、バンド部８Ｂを保持部１７Ｃ右側方の突出部１７Ｄの間に配置する。
【００３５】
次に、同じく図４（ｂ）に示すように、バンド部８Ｂを右側から通孔１７Ｂを挿通させると共に、リード線４を固定部１７Ａの左側近傍に配置する。
【００３６】
そして、図４（ｃ）に示すように、バンド部８Ｂを固定部１７Ａとリード線４を併せて巻回して、締結部８Ａの係合孔８Ｃを挿通させて、係止部８Ｄを係合孔８Ｃに係止させる。
【００３７】
さらに、図４（ｄ）に示すように、バンド部８Ｂ先端を専用工具などで引張りリード線４を固定部１７Ａに締付けた後、バンド部８Ｂ先端の不要部分を切断する。
【００３８】
なお、このような作業時、結束バンド８の締結部８Ａを略Ｖ字形の保持部１７Ｃに載置して、さらにバンド部８Ｂを突出部１７Ｄの間に配置していることにより、締結部８Ａは固定部１７Ａに対して回転してずれることがなく、また、バンド部８Ｂも幅方向へ移動してずれないため、バンド部８Ｂを締結部８Ａの係合孔８Ｃへ挿入することや、その後のバンド部８Ｂを引張って締付ける作業、さらに不要部分の切断作業が行い易いものとなっている。
【００３９】
そして、以上のような構成の操作型電子部品は、例えばハンドルのステアリングホイール近傍のスポーク部に装着されるが、この時、装着相手側のスポーク部内側の側壁やリブなどが形成されて限られた収納スペースに対し、操作型電子部品下面のリード線４や結束バンド８などの挿入に支障がないように、結束バンド８が所定の位置で所定の向きに配置されると共にリード線４が所定の位置に配置されて保持体１７に保持固定されているため、操作型電子部品をスポーク部内へ装着し易く、リード線４などが相手側に当って損傷を生じるようなことも防ぐことができる。
【００４０】
そして、このようにハンドルに装着された操作型電子部品を、ハンドルを握ったまま指で複数の操作体２の例えば図２に示す上方の右側の「＋」表示された操作部を押圧操作すると、操作に応じて下方のプッシュスイッチの電気的接離が行われ、その電気信号がリード線４を介して車両の電子回路に出力されて、例えば車両内の電子機器であるオーディオの音量が大きくなるというように、操作型電子部品の操作に応じて車両内の電子機器が制御されるように構成されている。
【００４１】
このように本実施の形態によれば、保持体１７の固定部１７Ａ上面に略凹状の保持部１７Ｃを形成し、結束バンド８の締結部８Ａを保持部１７Ｃに載置することによって、結束バンド８のバンド部８Ｂでリード線４と固定部１７Ａを巻回してリード線４を保持体１７に固定する際に、締結部８Ａが保持部１７Ｃに載置されて巻回方向である回転方向に回動しないように保持されているため、リード線４の保持体１７への固定作業が容易で、固定後も締結部８Ａやバンド部８Ｂの先端部の固定位置がずれにくくリード線４の保持固定が確実な操作型電子部品を得ることができる。
【００４２】
また、略凹状の保持部１７Ｃの側方にバンド部８Ｂの幅よりやや広い間隔で配置された突出部１７Ｄを設けると共に、各突出部１７Ｄ間にバンド部８Ｂを配置してリード線４を固定することによって、バンド部８Ｂはその幅方向へずれることがなく、結束バンド８による巻回方向への回転ずれに加えバンド部８Ｂの幅方向へのずれも防止されるため、さらに結束バンド８によるリード線４の固定作業が容易で、リード線４の保持固定が確実なものにすることができる。
【００４３】
なお、以上の説明では、保持体１７の保持部１７Ｃを断面が略Ｖ字形で略凹状のものとして、この保持部１７Ｃに締結部８Ａ外側の所定の角部を載置して保持させる構成について説明したが、締結部８Ａが回転方向へのずれが生じにくいものであれば、断面が略Ｕ字形やあるいは略すり鉢形などの略凹状の保持部としても良い。
【００４４】
また、以上の説明では、保持部１７Ｃを固定部１７Ａの上面に形成して、結束バンド８の締結部８Ａを保持体１７上方に保持したが、保持部１７Ｃを固定部１７Ａの右側面や左側面の所定位置に形成するなど、操作型電子部品の装着される相手側の収納空間の状況に応じて、締結部８Ａの保持位置を変えて設定しても良い。
【００４５】
さらに、操作型電子部品の出力部を、揺動操作や押圧操作によって電気的接離を行うプッシュスイッチで形成した構成について説明したが、回動操作やスライド操作によって電気的接離を行うエンコーダや電気的増減を行う可変抵抗器、或いは、磁気や光の変化に応じて電気的接離や増減を行うスイッチやセンサを用いても、本発明の実施は可能である。
【産業上の利用可能性】
【００４６】
本発明による操作型電子部品は、簡易な構成で、リード線の固定作業が容易で、リード線の保持固定が確実なものを実現でき、主に自動車等の電子機器の制御用として有用である。
【図面の簡単な説明】
【００４７】
【図１】本発明の一実施の形態による操作型電子部品の斜視図
【図２】同平面図
【図３】同要部斜視図
【図４】同部分断面図
【図５】従来の操作型電子部品の斜視図
【図６】同平面図
【図７】同部分断面図
【符号の説明】
【００４８】
１  表ケース
２  操作体
４  リード線
５  コネクタ
６  絶縁チューブ
８  結束バンド
８Ａ  締結部
８Ｂ  バンド部
８Ｃ  係合孔
８Ｄ  係止部
１３  裏ケース
１３Ａ  コネクタ部
１７  保持体
１７Ａ  固定部
１７Ｂ  通孔
１７Ｃ  保持部
１７Ｄ  突出部
【図１】
0004760466.tif 000002
【図２】
0004760466.tif 000003
【図３】
0004760466.tif 000004
【図４】
0004760466.tif 000005
【図５】
0004760466.tif 000006
【図６】
0004760466.tif 000007
【図７】
0004760466.tif 000008